(57)【特許請求の範囲】
【請求項１】
種類の異なる文字データ１と文字データ２を合わせて一つのデータとする構造のデータを記憶する記憶手段と、
制御情報を入力する十字カーソルポインターと、
記憶している前記構造のデータの中から表示するデータを選択する選択手段と、
選択されている文字データを表示する表示手段とを有する構成の電子機器において、
横方向へスクロールをするデータである前記文字データ１の表示は十字カーソルポインターの入力に応じて横方向の向きでスクロールして表示し、縦方向へスクロールするデータである前記文字データ２は横方向の表示端で折り返し表示して十字カーソルポインターの入力に応じて縦方向の向きでスクロールして表示することを特徴とする文字データ表示機能付き電子機器。
【請求項２】
前記文字データ１は複数の項目に区別されており、前記選択手段は、記憶している文字データの中から項目毎に表示する文字データを選択し、前記表示手段は、その各項目毎に項目を知らしめるためのアイコンと、そのアイコンが知らしめる内容の文字データとを続けて表示し、各項目を横方向の向きでスクロールさせる場合、前記アイコンはその場に残して、各項目の内容のみをスクロールして表示することを特徴とする請求項１記載の文字データ表示機能付き電子機器。
【請求項３】
片方の文字データと、もう片方の文字データのどちらを表示するかを切り換える表示切り換え手段を有することを特徴とする請求項１に記載の文字データ表示機能付き電子機器。
【請求項４】
前記表示手段に前記文字データ１が表示されているときに、前記十字カーソルポインターにおいて下方向操作をすると前記文字データ２が表示されることを特徴とする請求項３に記載の文字データ表示機能付き電子機器。
【請求項５】
電子機器が腕時計型であることを特徴とする請求項１から４のいずれかに記載の文字データ表示機能付き電子機器。
【請求項６】
外部機器から文字データを受信する外部インターフェースを有することを特徴とする請求項１から５のいずれかに記載の文字データ表示機能付き電子機器。
【発明の詳細な説明】
【０００１】
【発明の属する技術分野】
テキストファイルのような比較的長い文字情報を、一画面上の表示文字数の少ない表示画面に表示する小型携帯電子機器の分野。
【０００２】
【従来の技術】
従来、文字情報を文の始めから順番に画面上に表示し、上下キー操作などで、前の文、後ろの文を順番に表示する文字データ表示機能付き電子機器があることが知られている。
しかし、一画面上での表示文字数の少ない携帯機器などでは、ちょっとした長さの文章を表示して見るのにも、表示送り、または戻しの度にキー操作を行うのは大変である。
【０００３】
また、電子メールなどのように件名（タイトル）、差出人、受取人、送信日時などのヘッダーデータと、本文データとを合わせて持つデータを表示する場合、同じ形式で表示又は、スクロールをさせていたのでは不便な場合がある。例えば、一行あたりの表示文字数が少ない場合、件名（タイトル）、差出人などのヘッダーデータが一行では表示できない場合がある。だからといって画面右端で折り返して表示するとヘッダー部分の表示行数が多くなり、また、送信日時などが文の途中で折り返されてしまうなど読みづらい表示となる。さらに、ヘッダー部分のデータは時によってはあまり重要ではない場合があり、本文をすぐに見たい場合などは、本文を見るまでの操作が多くなり効率的ではない。
【０００４】
テキストデータをパソコンなどある程度表示文字数の多い画面で表示する場合、意識的に改行や空白、ＴＡＢ等を挿入して見やすくする手段が使われるが、その文字データを一画面上の表示文字数が少ない携帯機器などで表示する場合、不要な空白となったり、表示行数が多くなるなど、かえって見づらくなってしまう、また不要にメモリ容量を使用してしまう。
【０００５】
複数の項目からなるデータを選択して表示する場合、まず件名（タイトル）をリスト表示してその中から見たいデータを選択して、選択されたデータを詳細表示する表示方法がよく使用されるが、一画面上の表示文字数が少ない携帯機器などで表示する場合、件名（タイトル）は先頭数文字で削られてしまうため、件名（タイトル）が見たいデータを検索するためのキーとして有効であるとは限らない。例えば電子メールなどのデータの場合では、差出人や送信日時などが検索するキーとして有効な場合がある。そういった場合に検索するキーとなるリストが一種類なのは不便である。
【０００６】
自ら電子メールなどの通信手段を持たない小型携帯機器が、外部から電子メールなどの文字情報を取得することができなかった。だからといって、自ら電子メールなどの通信手段を持とうとすると、ハード的に通信回路を持つか、モデムやネットワークカードなどを接続するポートを設ける必要があり、重さは重く、大きさも大きくなってしまう。また、電池寿命が短くなるなど、小型携帯機器としてデメリットになってしまうことが多い。
【０００７】
【発明が解決しようとする課題】
一画面上の表示文字数の少ない携帯機器での表示において、文字データを自動でスクロールさせるための設定を設け、手動操作による文字送り、または戻しのわずらわしさを低減させること。
一画面上の表示文字数の少ない携帯機器での表示において、ヘッダー部分と本文との表示形式を別々にし、それぞれを見やすく表示させること。
【０００８】
一画面上の表示文字数の少ない携帯機器での表示において、元の文章に含まれる空白、改行、ＴＡＢコードなどを必要に応じて削除することにより、表示を見やすくさせるのと同時に、使用メモリ容量の削減を行えるようにすること。
一画面上の表示文字数の少ない携帯機器での表示において、詳細表示を見るためのリスト表示で、リスト表示する項目を選択できるようにすること。
【０００９】
自らが電子メールなどの通信手段を持たない携帯機器が、電子メールなどの文字データを見ることができるようにすること。
【００１０】
【課題を解決するための手段】
前記課題を解決するために、本発明は外部から文字データを取り込むためのインターフェイスと、文字データを記憶する記憶手段と、記憶された文字データの中から表示する文字データを選択する選択手段と、選択された文字データを表示する表示手段と、文字データを表示送りまたは、戻すための表示制御手段とを有する構成の電子機器において、文字データの表示送りまたは、戻しを自動で行うことができるようにした。
【００１１】
または、書式の決められた複数のデータからなるヘッダーデータと、任意の長さの文字データである本文データとを合わせて持つ構造のデータを記憶する記憶手段と、記憶している前記構造のデータの中から表示するデータを選択する選択手段と、ヘッダーデータと本文データのどちらを表示するかを切り換える表示切り換え手段と選択されているヘッダー情報または本文データを表示する表示手段とを有する構成の電子機器において、ヘッダーデータは横方向の向きでスクロールして表示し、本文データは縦方向の向きでスクロールして表示するようにした。
【００１２】
または、文字データを記憶する記憶手段と、記憶された文字データの中から表示する文字データを選択する選択手段と、選択された文字データを表示する表示手段と、文字データを表示送りまたは、戻すための表示制御手段とを有する構造の電子機器において、所定の文字コードを飛ばして表示するようにした。
または、書式の決められた複数の項目データからなる構造の文字データを記憶する記憶手段と、文字データを所定の項目毎にリスト表示する表示手段と、表示されたリストの中から詳細表示する文字データを選択する選択手段とを有する電子機器において、各項目毎のリストが並列に切り換えて表示可能にした。
【００１３】
または、外部に接続される自ら通信手段を持った電子機器と、外部から文字データを取り込むためのインターフェイスと、文字データを記憶する記憶手段と、記憶された文字データの中から表示する文字データを選択する選択手段と、選択された文字データを表示する表示手段とを有する構成の電子機器において、外部の電子機器が、外部通信手段を用いて取得した文字データを取り込み、その文字データを表示するようにした。
【００１４】
【発明の実施の形態】
前記のように構成された本発明の実施例を図面に基づき以下に説明する。
図１は、本発明の文字データ表示機能付き電子機器の外観を示す図である。腕時計型の小型のものである。ケース３にはバンド１が取り付けられており、手首に装着して使うようになっている。ケース３内部には図２に示す回路モジュール４を内蔵している。ケース３にはＬＣＤ表示部５が取り付けられており、各種情報を表示するようになっている。また、複数のスイッチ７、スイッチ８，スイッチ９、スイッチ１０、および十字カーソルポインタ６などが取り付けられており、操作者が回路モジュール４に対して制御情報を入力するために使われる。さらに、ケース３の側面には外部接続端子１１、ケース３の上部には赤外線送受信窓２が取り付けられており、外部接続端子１１を介したシリアルケーブル通信、もしくは赤外線送受信窓２を介した赤外線通信を用いて、外部から文字データ及び、制御プログラムの追加、変更を可能としている。
【００１５】
図２に示す回路モジュール４の構成は、図３のブロック図のようになっている。回路モジュール４には、中央演算装置（ＣＰＵ）３１とこれに接続された読み出し専用メモリー（ＲＯＭ）３２、読み書き可能メモリー（ＲＡＭ）３３が設けられている。ＲＡＭ３３には、ＬＣＤ表示部３６に表示する文字データが記憶されている。ＲＯＭ３２にはＲＡＭ３３に記憶されている文字データを表示する制御プログラムが内蔵されており、ＣＰＵ３１は、スイッチ３５及び十字カーソルポインタ３９から動作制御信号を受け、このＲＯＭ３２の制御プログラムに従って文字データをＬＣＤ表示部３６に表示する。
【００１６】
ＬＣＤ表示部３６は、横１０２ドット×縦６４ドットの解像度となっており、横１２ドット×縦１２ドットサイズの全角文字を横８文字×縦５段と、一画面４０文字程度の全角文字データの表示が可能となっている。この解像度については、仕様によって変更可能である。
ＣＰＵ３１には外部インターフェイス３７が接続されており、外部インターフェイス３７は、パソコン３８と接続して通信することによって、ＲＡＭ３３に記憶する文字データの書き換え、追加可能としている。これにより小型携帯電子機器が不得意とするデータ入力を容易なものとしている。パソコン３８との通信接続方法は、パソコン３８のＲＳ２３２Ｃ端子等に接続するシリアルケーブル通信接続や、パソコン３８の赤外線素子を用いた赤外線通信接続などがある。
【００１７】
もちろん、本発明を実現する電子機器の形態は腕時計型である必要はなく、ＰＤＡ、携帯電話、ポケベル他いかなる小型携帯電子機器でもかまわない。
文字データを表示する制御プログラムが記憶されている場所は、ＲＯＭ３２上に限らず、ＲＡＭ３３等の読み書き可能なメモリー上でもかまわない。これにより、制御プログラムの変更等も可能となる。
【００１８】
外部インターフェイス３７と接続する機器はパソコン３８に限らず、前記時計型電子機器同士、ＰＤＡ、他いかなる小型携帯電子機器等からも必要に応じて文字データやプログラムを受信してもよい。また、携帯電話、ポケベルなどは文字データを電波信号より受信してもよい。
スイッチ３５及び十字カーソルポインタ３９は、メカ的なスイッチに限らず、タッチパネルや、音声入力など、表示動作を制御できるものなら何でもよい。図３において、読み書き可能メモリーはフラッシュメモリー、Ｅ２ＰＲＯＭなどでもかまわない。
（１）第一の実施例
本発明の文字データ表示機能付き電子機器、第一の動作実施例を図１の外観図を参照しながら、図面に基づき説明する。図１の腕時計型電子機器のＬＣＤ表示部５には横８×縦５文字の全角文字が表示できるようになっている。内部には、パソコンのようにディレクトリやファイルといった、ファイルのツリー構造を持っており、ＬＣＤ表示部５にはファイラーと呼ばれる図４のような時計内部のディレクトリやファイルのツリー構造が表示できる。このツリー構造表示から、十字カーソルポインタ６を上下左右に動かして、起動したいファイルを選択する。
【００１９】
例えばテキスト文章で構成されるテキストファイル「テキスト１．ＴＸＴ」を選択してＥｎｔｅｒボタンに割り当てたボタン８を入力すると、選択した「テキスト１．ＴＸＴ」が起動して、図５のような文字列を表示する。点線枠５０１はＬＣＤ表示部５に表示される表示イメージである。ここで、十字カーソルポインター６を下方向にクリックすると、表示は下方向に一行移動する。また、上方向にクリックすると、表示は上方向に一行移動する。これは一行毎に表示範囲が移動するラインスクロールであるが、設定によっては一ページ毎に表示範囲が移動するページスクロールにすることもできる。その場合、十字カーソルポインター６を下方向にクリックすると、表示は点線枠５０２の表示イメージとなり、そこでまた上方向にクリックすると点線枠５０１の表示イメージに戻る。これらは一般に知られる文字データのラインスクロール、ページスクロールによる表示である。図１のＬＣＤ表示部５に一度に表示できる文字数は全角４０文字程度であり、ちょっとした文章を表示するのにも、何回ものスクロールスイッチをクリックする必要がある。
【００２０】
そこで本発明では、これらラインスクロール、及びページスクロールを自動で行うようにした。まず本発明では次なる設定手段を設けた。Ｍｅｎｕボタンに割り当てたボタン１０を入力すると、図６のようなメニューが表示され、さらに「表示送りの設定」を選択すると、図７のようなメニューが表示される。ここで、「オートラインスクロール」、または「オートページスクロール」を選択すると、前記のようなラインスクロール、ページスクロールがユーザーのスイッチ入力なしに自動的に行われるようになる。オートスクロールは十字カーソルポインター６を下方向にクリック、または上方向にクリックすることでスタートし、スクロールは表示できる最後のところまで、自動的にスクロールし、それ以上スクロールのできないところまで表示が移動した時点で、その場所で自動的にスクロールを停止する。また、スクロールしている途中で、何かスイッチが入力された場合、その場所でスクロールを停止する。このオートスクロールの設定により、スクロールの度にスクロールスイッチを入力する必要がなく、また一旦スクロールをスタートさせてしまえば、両手を使うことなく表示を順番に送り見ることができる。
【００２１】
このオートスクロールにおいて、表示を書き換える速度、つまりスクロール速度を可変にすることも可能である。図６のメニューにおいて、「スクロール速度の設定」を選択すると、図８のようなスクロール速度の設定画面が表示される。ここで、十字カーソルポインター６を左方向にクリックすると、速度設定のスライダーが左に動きスクロールの速度を遅く設定することができる。また、十字カーソルポインター６を右方向にクリックすると、速度設定のスライダーが右に動きスクロールの速度を速く設定することができる。速度の設定の分解能は仕様によりいくらでも設定可能である。これにより、文章の内容や、読む人の読むペースに合わせてスクロールの速度を調節することができる。
【００２２】
また、このスクロール速度の設定はメニューでの設定によらず、スクロール中に変更することもできる。十字カーソルポインター６を下方向にクリックし、順送り方向に画面をスクロールさせていた場合、十字カーソルポインター６を左方向にクリックした場合は、スクロール速度を遅く、逆に右方向にクリックした場合は、スクロール速度を速くするようにする。これにより、スクロール中に自分の見やすい速度に合わせてスクロール速度を変更でき、速度の設定がしやすくなる。
【００２３】
尚、前記スクロール方法、スクロール速度の設定は記憶されるため、再度テキストファイルを起動する度に設定をし直す必要はない。本実施例では十字カーソルポインター６による表示制御の例を述べたが、これらは別に十字カーソルポインターである必要はなく、通常のケース側面や前面に配置されるボタンスイッチや、ＬＣＤ表示画面上に配置されるパネルスイッチなどでもよい。また、メカ接点方式のスイッチだけでなく、音声入力による表示制御手段なども考えられる。（２）第二の実施例
本発明の文字データ表示機能付き電子機器、第二の動作実施例を図１の外観図を参照しながら、図面に基づき説明する。図１の腕時計型電子機器はシリアルケーブル（ＲＳ？２３２Ｃケーブル）を介して、データをパソコンからダウンロードして持ち歩くことのできる構造となっている。パソコンからデータをダウンロードする手段としては、外部接続端子１１に図９のようにドッキングステーション９０１を接続する。ドッキングステーションのコネクター端子９０２をパソコンのシリアル出力ポート（ＲＳ？２３２Ｃ端子）に接続し、パソコン側からデータをダウンロードできる仕様である。パソコン側にはインターネットメールメーラーソフトがインストールされており、このパソコン側のメーラーソフトには受信したインターネットメールを腕時計型電子機器で表示できるようなデータ形式にデータを変換し、腕時計型電子機器本体に送信する機能を持っている。本体に送信するメールは、選択したメールのみ、パソコン側で未読のメールのみ、ある指定した日付より後に受信したメールのみなど、受信した全てのメールを送信するだけでなく、ある条件でフィルターをかけたメールのみを送信する設定手段も設けてある。また、本体へ送信するメールの件数や、一件あたりのメールのデータ長には制限を設けることが可能で、本体側の表示能力、メモリ容量があまり大きくないため、パソコン側のソフトウェアの仕様にも本体側の表示能力、メモリ容量を考慮した工夫を設けている。
【００２４】
腕時計型電子機器本体に送信するデータのデータ構造は、メール件名（タイトル）、メール差出人、メール送信日時、メール宛先、メール宛先ＣＣ、添付ファイル名といったヘッダーデータと、メールの本文を合わせて一件のメールデータとする。一つの送信ファイルの中には、図１０のように複数のメールデータが並べて記憶されている。
【００２５】
腕時計型電子機器本体側ではパソコンより送信された、データフィイルを図１１のようにファイルツリー表示を行う。前記インターネットメールメーラーソフトより送信されたファイルはメールダウンロードデータファイル「ＩＭＡＩＬ．ＥＭＢ」である。このファイルは拡張子「．ＥＭＢ」で関連付けされたデータファイルで、本体側にインストールされているＥＭＢファイルビューワプログラムで見ることができる。「ＩＭＡＩＬ．ＥＭＢ」は拡張子「．ＥＭＢ」が同じであれば、ファイル名は何でもよく、またデータファイルの置く場所は本体側のファイルツリー構造のどの場所でもいいので、名前や、場所を変えれば、本体側には複数のメールダウンロードデータファイルを持つことができる。
【００２６】
「ＩＭＡＩＬ．ＥＭＢ」を選択してＥｎｔｅｒボタンに割り当てたボタン８を入力すると、選択した「ＩＭＡＩＬ．ＥＭＢ」が起動して、図１２のようなリストが表示される。パソコン側で受信したメール毎のリストとなっており、１２００は既読、未読を示すアイコンで、１２０１は添付ファイルのありを示すアイコンである。起動時はヘッダーデータのメール件名（タイトル）をリスト表示する。表示されているリストから見たいメールを選択し、Ｅｎｔｅｒボタン８を入力すると、選択したリストの詳細表示が図１３のように表示される。この自分の見たいメールをリストから探すのであるが、メール件名（タイトル）からの選択だけであると、不便な場合がある。時には誰から来たメールなのか、いつ来たメールなのかなどを選択のキーとしたい場合がある。また、本実施例の携帯機器のように一行の表示文字数が、アイコンなどの表示領域を削ると全角７文字程度になってしまう場合、メール件名（タイトル）が一行に表示しきれないことが多い。そうした場合に、意味が通じなかったり、同じメールの件名（タイトル）となってしまうことがあり得る。
【００２７】
そこで、本発明では、十字カーソルポインター６を右にクリックすると、メール差出人のリスト表示となり、更に十字カーソルポインター６を右にクリックしていくと、順にメール送信日時、メール宛先、メール宛先ＣＣ、メール添付ファイル名、メール件名（タイトル）とリスト表示が切り換わるようにした。また、十字カーソルポインター６を左にクリックすると、逆回りで、メール添付ファイル名、メール宛先ＣＣ、メール宛先、メール送信日時、メール件名（タイトル）の順にリスト表示が切り換わるようにした。これにより、ヘッダーデータの中から自分がその時選択しやすいキーとなるデータのリスト表示に切り換え、そのリストの中から、見たいリストを選択できるようになった。
【００２８】
また、起動時に最初に表示されるリストを設定可能にもできる。リストを表示している状態で、Ｍｅｎｕボタン１０を入力すると、図１６のようなメニュー表示となる。「起動時項目選択」を選択すると、図１７のような、起動時にどのヘッダーデータのリストを表示させるかの設定画面が表示される。そこで、差出人を選択してＥｎｔｅｒボタン８を入力すると、起動時のリストは差出人のリストからとなる。
【００２９】
前記リスト表示から、見たいメールを選択して、Ｅｎｔｅｒボタン１０を入力すると、前記図１３のような詳細表示となる。図１３では画面左端にヘッダーデータを知らしめるためのアイコンが表示され、その右側には各アイコンに対応したヘッダーデータの詳細が表示される。そして、十字カーソルポインター６を下にクリックすると図１５のような本文データの表示に遷移する。ここで、ヘッダーデータの詳細は、画面右端で折り返さずに横方向に長く表示し、一画面上に全ヘッダーデータが表示されるようにしている。また、本文データの表示は、ヘッダーデータとは表示する書式を別々にし、画面右端で折り返して下に長く表示するようにしている。これは、通常ヘッダーデータは日付のようなデータが含まれていることが多く、右側で折り返すとデータとして見づらくなることがあるためと、ヘッダーデータは常に全てを見たいものではなく、特に重要なのは本文データである。ヘッダーデータを折り返して表示すると、ヘッダーデータが下に長くなり、本文データを見るための操作が多くなってしまう。また、本実施例のようにヘッダーデータを一画面に表示するようにすれば、十字カーソルポインター６を下に一回クリックすればすぐに本文表示に遷移することができる。
【００３０】
前記ヘッダーデータの詳細表示は右にスクロールさせて画面右端に隠れた部分を表示させるが、その際、図１４のようにアイコンはそのままスクロールさせずに内容のみをスクロールさせるようにした。これにより、右に画面をスクロールさせてもどの行がどの項目の内容のものかがわからなくなることを防いでいる。
このように前記二つの種類の違う文字データ、つまりヘッダーデータの詳細表示と、本文データの表示を別々の書式にしたため、プログラムを組む上でも、ヘッダーデータの詳細表示プログラムと、本文データの表示プログラムとでは独立した別々のプログラムとして作成できるようになり、組みやすいものとなるだけでなく、表示行数の多くなる本文データの表示は、一画面上での表示行数を変更可能にしたり、第一の実施例に述べたようなオートスクロールの機能を追加することもできる。
（３）第三の実施例
本発明の文字データ表示機能付き電子機器、第三の動作実施例を図１の外観図を参照しながら、図面に基づき説明する。図１８のような文章を、図１腕時計型携帯電子機器に表示する場合、図１９のようなイメージ図となる。図１８では、スペースが有効的で文章を見やすいものとしているが、図１９のような一行の表示文字数の少ない画面上に表示した場合には、かえって文章を読みづらくさせてしまう。そこで、本発明では、行のはじめの半角、全角のスペース（空白）コードを省いて表示するようにし、表示文字数の少ない画面上でも文章が読みやすくなるようにした。図２０は行のはじめの半角、全角のスペース（空白）コードを省いて表示した場合のイメージ図である。
【００３１】
本実施例では、行のはじめのスペース（空白）コードを省いて表示する実施例であるが、この文字コードの省く方法としては、他にも一行に改行コードしかない場合の改行コードを省くこともできる。図２１は、図２０において一行に改行コードしかない場合の改行コードを省いた場合のイメージ図である。他にも、文章全てのスペース（空白）コードを省く、文章全ての改行コードを省く、文章全てのＴＡＢコードを省くといったいろいろな設定が可能である。
【００３２】
また、図１８のような電子メールの文章には署名や、文章の区切りなどに、よく記号を規則的に並べた文章を挿入する。これらを表示文字数の少ない画面上でそのまま表示すると、記号の羅列となり、表示的に意味がなく、文章が見づらいものとなる。更に表示行数も多くなるため、次の文章に進むために余計な表示送りをする必要がある。そこで、本発明では二行以上全く同じ文字コードが続いた場合、二行目以降の文字コードを省いて表示するようにした。図２２は、図２１において二行以上全く同じ文字コードが続いた場合、二行目以降の文字コードを省いて表示した場合のイメージ図である。
【図面の簡単な説明】
【図１】本発明の文字データ表示機能付き電子機器の外観図である。
【図２】本発明の文字データ表示機能付き電子機器の回路ブロックを示す外観図である。
【図３】本発明の文字データ表示機能付き電子機器における、回路ブロックの構成を示すブロック図である。
【図４】本発明の文字データ表示機能付き電子機器における、ファイラー表示図である。
【図５】本発明の文字データ表示機能付き電子機器における、ラインスクロール、ページスクロールを説明するための図である。
【図６】本発明の文字データ表示機能付き電子機器における、メニュー表示図である。
【図７】本発明の文字データ表示機能付き電子機器における、表示送り方法を設定する設定画面表示図である。
【図８】本発明の文字データ表示機能付き電子機器における、オートスクロールの速度を設定する設定画面表示図である。
【図９】本発明の文字データ表示機能付き電子機器とドッキングステーションの接続図である。
【図１０】本発明の文字データ表示機能付き電子機器における、メールデータのデータ構造図である。
【図１１】本発明の文字データ表示機能付き電子機器における、第二のファイラー表示図である。
【図１２】本発明のメールデータ表示アプリケーションにおける、メールデータのリスト表示図である。
【図１３】本発明のメールデータ表示アプリケーションにおける、メールデータのヘッダーデータ詳細表示図である。
【図１４】本発明のメールデータ表示アプリケーションにおける、メールデータのヘッダーデータ詳細表示を右にスクロールさせた場合の表示図である。
【図１５】本発明のメールデータ表示アプリケーションにおける、メールデータの本文データ表示図である。
【図１６】本発明のメールデータ表示アプリケーションにおける、メニュー表示図である。
【図１７】本発明のメールデータ表示アプリケーションにおける、起動時のリスト項目を設定する設定画面表示図である。
【図１８】パソコン上で表示した場合の文章イメージ図である。
【図１９】図１８を本発明のメールデータ表示アプリケーション上で表示した場合の表示イメージ図である。
【図２０】図１９において、行のはじめにあるスペース（空白）コードを省いて表示した場合の表示イメージ図である。
【図２１】図２０において、行のはじめにある改行コードを省いて表示した場合の表示イメージ図である。
【図２２】図２１において、二行以上全く同じコードが続けて表示された場合、二行目以降を省いて表示した場合の表示イメージ図である。
【符号の説明】
１        バンド部
２        赤外線送受信窓
３        ケース
４        回路ブロック
５        ＬＣＤ表示部
６        十字カーソルポインタ
７、８、９、１０  スイッチ
１１      外部接続端子
３１      ＣＰＵ
３２      ＲＯＭ
３３      ＲＡＭ
３５      スイッチ
３６      ＬＣＤ表示部
３７      インターフェイス回路
３８      パソコン
３９      十字カーソルポインタ
５０１    画面表示イメージを示す点線枠
５０２    ページスクロール後の画面表示イメージを示す点線枠
９０１    ドッキングステーション
９０２    接続コネクタ
１２００  既読、未読を示すアイコン
１２０１  添付ファイルありを示すアイコン
【図１】
0003828001.tif 000002
【図２】
0003828001.tif 000003
【図３】
0003828001.tif 000004
【図４】
0003828001.tif 000005
【図５】
0003828001.tif 000006
【図６】
0003828001.tif 000007
【図７】
0003828001.tif 000008
【図８】
0003828001.tif 000009
【図９】
0003828001.tif 000010
【図１０】
0003828001.tif 000011
【図１１】
0003828001.tif 000012
【図１２】
0003828001.tif 000013
【図１３】
0003828001.tif 000014
【図１４】
0003828001.tif 000015
【図１５】
0003828001.tif 000016
【図１６】
0003828001.tif 000017
【図１７】
0003828001.tif 000018
【図１８】
0003828001.tif 000019
【図１９】
0003828001.tif 000020
【図２０】
0003828001.tif 000021
【図２１】
0003828001.tif 000022
【図２２】
0003828001.tif 000023